(57)【要約】【課題】簡単な構成で、押ボタンのロックが可能で、ボタンカバーや肩カバーを取り外すことなくガス抜き作業を実施可能なエアゾール容器用アクチュエータを提供すること。【解決手段】押ボタン１１０と、押ボタン１１０を囲んでエアゾール容器本体Ｃに取付けられるボタンカバー１２０とを有するエアゾール容器用アクチュエータ１００であって、ボタンカバー１２０と押ボタン１１０とは、回動することによって互いに係合する回動係合機構を有し、回動係合機構が、押ボタン１１０の押し下げる前の位置から下方への移動を阻止可能に構成された下方移動規制部と、押ボタン１１０の押し下げた位置から上方への移動を阻止可能に構成された上方移動規制部とを有していること。【選択図】図１
2019218123.tif 000002
【特許請求の範囲】
【請求項１】
エアゾール容器本体の容器口部の上部に設けられたステムに接続し、前記ステムを下方に押圧して前記エアゾール容器内の内容物を噴射口から噴射可能な押ボタンと、前記押ボタンを囲んで前記エアゾール容器本体に取付けられるボタンカバーとを有するエアゾール容器用アクチュエータであって、
前記ボタンカバーと前記押ボタンとは、回動することによって互いに係合する回動係合機構を有し、
前記回動係合機構が、係合したときに前記押ボタンの押し下げる前の位置から下方への移動を阻止可能に構成された下方移動規制部と、係合したときに前記押ボタンの押し下げた位置から上方への移動を阻止可能に構成された上方移動規制部とを有していることを特徴とするエアゾール容器用アクチュエータ。
【請求項２】
前記押ボタンは、ボタン天井部と、前記ボタン天井部の外周縁から垂下する脚部と、前記脚部よりも内周側の位置で前記ボタン天井部から垂下するステム嵌合部と、前記噴射口とを有し、
前記脚部には、下方に開放した退避スリットが設けられ、
前記ボタンカバーは、前記脚部の周囲に対向するように配置されたボタン対向壁を有し、
前記ボタン対向壁の下部には、前記ボタン対向壁の下部から半径方向内方に突出する押下制止突起が設けられ、
前記下方移動規制部は、前記押ボタンと前記ボタンカバーとの回動位置によって、前記押下制止突起の上面が前記脚部および前記退避スリットのいずれか一方の下端と当接可能に切り替わるように構成されていることを特徴とする請求項１に記載のエアゾール容器用アクチュエータ。
【請求項３】
前記脚部には、前記脚部の下部から半径方向外方に突出するボタンツメが設けられ、
前記ボタン対向壁には、下方に開放され、高さの異なる複数の段差部を有した段付きスリットが設けられ、
前記上方移動規制部は、前記押ボタンと前記ボタンカバーとの回動位置によって、前記ボタンツメの上面が前記段付きスリットの複数の段差部のいずれか一つと当接可能に切り替わるように構成されていることを特徴とする請求項１または請求項２に記載のエアゾール容器用アクチュエータ。
【請求項４】
前記ボタンカバーは、前記ボタン対向壁よりも半径方向外方に設けられたスカート壁をさらに有し、前記スカート壁に嵌合可能なボタンカバー嵌合部を有する肩カバーを介して前記エアゾール容器本体の容器口部に取付けられ、
前記ボタンカバーと前記肩カバーとは、相対的に回転可能に構成されていることを特徴とする請求項１乃至請求項３のいずれかに記載のエアゾール容器用アクチュエータ。
【請求項５】
前記ボタンカバーの回転中心は、ステムの中心軸と一致しないことを特徴とする請求項４に記載のエアゾール容器用アクチュエータ。
【請求項６】
前記肩カバーは、頂板部と、前記頂板部の下面から垂下して前記容器口部に嵌合可能に構成された容器嵌合筒部と、前記頂板部の上面から上方に延びて前記ボタンカバーに嵌合可能に構成された前記ボタンカバー嵌合部と、前記頂板部から軸方向に延びて前記ステム嵌合部の周囲を囲む筒状突起とが設けられ、
前記筒状突起には、少なくとも上方に開放した規制用スリットが設けられ、
前記ステム嵌合部の外周面には、前記ステム嵌合部を前記ステムに嵌合した際、前記規制用スリットに挿通可能に構成された係止用突条が設けられていることを特徴とする請求項４または請求項５に記載のエアゾール容器用アクチュエータ。
【請求項７】
前記ボタンカバーは、カバー天井部と、前記カバー天井部の外周縁から垂下するスカート壁とをさらに有し、
前記ボタン対向壁は、前記スカート壁の内周側の位置で前記カバー天井部から垂下するように設けられ、
前記ボタンカバー嵌合部には、上方に延びて前記スカート壁と前記ボタン対向壁との間に挿入可能に構成された回転ストッパーが設けられていることを特徴とする請求項４乃至請求項６のいずれかに記載のエアゾール容器用アクチュエータ。
【請求項８】
前記ボタンカバーは、前記押ボタンの前記噴射口からの内容物の噴射が通過可能な開放孔をさらに有し、
前記開放孔は、前記下方移動規制部および前記上方移動規制部の少なくともいずれか一方によって前記押ボタンの上下動が規制された際、前記押ボタンの前記噴射口からの内容物の噴射方向に延びる仮想線から外れるように構成されていることを特徴とする請求項１乃至請求項７のいずれかに記載のエアゾール容器用アクチュエータ。
【請求項９】
前記エアゾール容器は、請求項１乃至請求項８のいずれかに記載のエアゾール容器用アクチュエータを備えていることを特徴とするエアゾール製品。
【発明の詳細な説明】
【技術分野】
【０００１】
本発明はエアゾール容器用アクチュエータに関し、特に、簡単な操作で通常噴射状態、誤噴射防止（ロック）状態、および噴射維持状態（ガス抜き状態）のそれぞれの状態に切り替え可能なエアゾール容器用アクチュエータおよびエアゾール製品に関するものである。
【背景技術】
【０００２】
一般的に、使用済みのエアゾール容器をゴミとして廃棄する際、容器内部に残存するガスを放出しなければならず、そのため、種々のエアゾール容器用ガス抜き機構が提案されている。
例えば、特許文献１には、エアゾール容器Ａ本体の容器口部の上部に設けられたステムを囲んで取付けられる肩カバー３と、ステムに接続し、ステムを下方に押圧してエアゾール容器Ａ内の内容物を噴射口４から噴射可能な押ボタン（噴射ボタン１）と、肩カバー３上に押ボタン（噴射ボタン１）を囲んで取付けられるボタンカバー（キャップ２）とを有するロック機構を備えたエアゾール容器用アクチュエータが記載されている。
【０００３】
このエアゾール容器用アクチュエータのロック機構は、押ボタン（噴射ボタン１）の下端部外周面には周方向に複数の直方体状の突起６が設けられるとともに、押ボタン（噴射ボタン１）の背面には切欠部７が設けられている。
また、ボタンカバー（キャップ２）には、爪状の押下制止突起（規制突起９）が設けられており、ロック機構がロック解除されている状態で、キャップを回動させて押下制止突起（規制突起９）を押ボタン（噴射ボタン１）の背面部の第１浅切欠部７ｂに嵌入することで、押ボタン（噴射ボタン１）の下動を不能とし、ロック機構を作動することができる。
これによって、ボタンカバー（キャップ２）を回転させる動作のみで、押ボタン（噴射ボタン１）の押下動作の可否を切り替えることができる。
【０００４】
さらに、肩カバー３の環状周壁１７の下端部には複数の第２浅切欠き部２０ｂが形成されており、ボタンカバー（キャップ２）ごと肩カバー３を容器口部から外し、肩カバー３を１８０度回転させた向きで再び容器口部に嵌着する際、押ボタン（噴射ボタン１）の下端部外周面に設けられた突起６が第２浅切欠き部２０ｂに嵌入することにより、押ボタン（噴射ボタン１）が上昇不能に拘束され、肩カバー３を押し込み完全に容器口部に嵌着すると、押ボタン（噴射ボタン１）がステムを押し下げて内容物を外部に噴射する位置で固定される。
これによって、エアゾール容器の廃棄に際して、押ボタン（噴射ボタン１）を押し下げる動作を行うことなく、容器内の残留内容物を完全に放出するガス抜き操作が可能となるものである。
【先行技術文献】
【特許文献】
【０００５】
【特許文献１】特開２０１１−１０５３４２号公報
【発明の概要】
【発明が解決しようとする課題】
【０００６】
ところが、特許文献１で公知のエアゾール容器用アクチュエータには、未だ改善の余地があった。
すなわち、特許文献１で公知のエアゾール容器用アクチュエータは、ガス抜き作業を実施する際に、ボタンカバー及び肩カバーを容器口部から外す必要があるため、作業者にとって手間がかかってしまう虞があった。
また、ガス抜き作業を実施する際にボタン側の突起にキャップ側の溝を合わせて嵌め直す必要があるため、溝から突起がズレた状態で嵌着作業を行うと、肩カバーが容器口部に正しく嵌らず、各部が干渉して破損する虞や、正しくない姿勢で不意にステムを押し下げてしまい、不意に噴射した内容物が周囲に飛び散ってしまう虞があった。
また、ガス抜き作業を実施する際に肩カバーを一度容器口部から外す必要があり、肩カバーを取り外すことが可能な強度で容器口部に嵌着しているため、ガス抜き作業時にステム側から受ける反発力によって肩カバーが外れてしまう虞があった。
【０００７】
本発明は、上記課題を解決するものであり、簡単な構成で、押ボタンのロックが可能であるとともに、ボタンカバーや肩カバーを取り外すことなく、確実にガス抜き作業を実施可能なエアゾール容器用アクチュエータを提供することを目的とするものである。
【課題を解決するための手段】
【０００８】
本発明に係るエアゾール容器用アクチュエータは、エアゾール容器本体の容器口部の上部に設けられたステムに接続し、前記ステムを下方に押圧して前記エアゾール容器内の内容物を噴射口から噴射可能な押ボタンと、前記押ボタンを囲んで前記エアゾール容器本体に取付けられるボタンカバーとを有するエアゾール容器用アクチュエータであって、前記ボタンカバーと前記押ボタンとは、回動することによって互いに係合する回動係合機構を有し、前記回動係合機構が、係合したときに前記押ボタンの押し下げる前の位置から下方への移動を阻止可能に構成された下方移動規制部と、係合したときに前記押ボタンの押し下げた位置から上方への移動を阻止可能に構成された上方移動規制部とを有していることにより、前記課題を解決するものである。
【発明の効果】
【０００９】
請求項１に係るエアゾール容器用アクチュエータによれば、ボタンカバーと押ボタンとは、回動することによって互いに係合する回動係合機構を有し、回動係合機構が、係合したときに押ボタンの押し下げる前の位置から下方への移動を阻止可能に構成された下方移動規制部と、係合したときに押ボタンの押し下げた位置から上方への移動を阻止可能に構成された上方移動規制部とを有しているため、ボタンカバーを押ボタンから相対的に回転させて下方移動規制部へ移動することで、押ボタンによってステムを押圧操作できなくすることが可能であるとともに、ボタンカバーを押ボタンから相対的に回転させて上方移動規制部へ移動することで、押ボタンによってステムを押圧した状態を保持可能となり、ボタンカバーを外すことなくガス抜き作業を実施できる。
また、押ボタンを押圧操作できなくする際も、ガス抜き作業を実施する際も、ボタンカバーと押ボタンとを相対的に回転させることのみで簡単に切り替えが可能である。
【００１０】
請求項２に記載の構成によれば、押ボタンには、ボタン天井部の外周縁から垂下する脚部に、下方に開放した退避スリットが設けられ、ボタンカバーのボタン対向壁の下部には、半径方向内方に突出する押下制止突起が設けられ、下方移動規制部は、押ボタンとボタンカバーとの回動位置によって、押下制止突起の上面が脚部および退避スリットのいずれか一方の下端と当接可能に切り替わるように構成されているため、ボタンカバーを押ボタンと相対的に回転させることのみで、押ボタンを押下可能状態と押下制止状態に簡単に切り替えることができ、使用者の負担が少ない。
また、ボタンカバーを取り外す必要がないため、使用時や保管時に常に全ての部品がエアゾール容器に取り付けられており、必要な部品を紛失する虞がない。
【００１１】
請求項３に記載の構成によれば、脚部には、脚部の下部から半径方向外方に突出するボタンツメが設けられ、ボタン対向壁には、下方に開放され、高さの異なる複数の段差部を有した段付きスリットが設けられ、上方移動規制部は、押ボタンとボタンカバーとの回動位置によって、ボタンツメの上面が段付きスリットの複数の段差部のいずれか一つと当接可能に切り替わるように構成されているため、ボタンカバーを押ボタンと相対的に回転させることのみで、段差部の高さに合わせてボタンツメの移動量を変化させることができ、例えば、段差部の高さを押ボタンがステムを押下した状態を維持可能な高さに設定すれば、ガス抜き作業を簡単に実施することができる。
また、段差部の高さを押ボタンがステムを押下しない静止状態の高さに設定すれば、押ボタンがステムから外れる方向へ不意に力を受けても、押ボタンは静止状態の高さよりも上昇せず、押ボタンの抜け落ちを防ぐことができる。
【００１２】
請求項４に記載の構成によれば、ボタンカバーは、肩カバーを介してエアゾール容器本体の容器口部に取付けられ、ボタンカバーと肩カバーとは、相対的に回転可能に構成されているため、ボタンカバーが容器口部に直接取付けられている場合に比べて、ボタンカバーを回転しやすくなるとともに、肩カバーと容器口部とを強固に嵌合させることができ、不意にエアゾール容器用アクチュエータが容器口部から外れることを防止できる。
請求項５に記載の構成によれば、ボタンカバーの回転中心は、ステムの中心軸と一致しないため、押ボタンとボタンカバーとの形状を相対的に回転可能にするのみでよく、例えば、噴射パターンをできる限り大きくするために噴射口の位置をステム中心軸側に近づけた場合でも、押ボタンの中心軸をステム中心軸からみて噴射口と反対側の位置にして押ボタンを径大に形成することができ、押ボタンの操作感を維持できる。
【００１３】
請求項６に記載の構成によれば、肩カバーは頂板部と、頂板部の下面から垂下して容器口部に嵌合可能に構成された容器嵌合筒部と、頂板部の上面から上方に延びてボタンカバーに嵌合可能に構成されたボタンカバー嵌合部と、頂板部から軸方向に延びてステム嵌合部の周囲を囲む筒状突起とが設けられ、筒状突起には、少なくとも上方に開放した規制用スリットが設けられ、ステム嵌合部の外周面には、ステム嵌合部をステムに嵌合した際、規制用スリットに挿通可能に構成された係止用突条が設けられているため、規制用スリットに係止用突条を挿通するようにステム嵌合部をステムに嵌合することで、肩カバーと押ボタンの相対的な回転を防止でき、ボタンカバーを回転させた際、押ボタンの共回りを防止できる。
請求項７に記載の構成によれば、ボタンカバーは、カバー天井部と、カバー天井部の外周縁から垂下するスカート壁とをさらに有し、ボタン対向壁は、スカート壁の内周側の位置でカバー天井部から垂下するように設けられ、ボタンカバー嵌合部には、上方に延びてスカート壁とボタン対向壁との間に挿入可能に構成された回転ストッパーが設けられているため、スカート壁とボタン対向壁との間隔を調整することで、ボタンカバーを回転させた際に回転ストッパーの回転角度を規制することができ、下方移動規制部や上方移動規制部等の任意の位置に到達させやすくなる。
また、スカート壁とボタン対向壁との間に回転ストッパーを挿入することで、ボタンカバー回転時等に発生するボタンカバーのガタツキを抑制することができる。
【００１４】
請求項８に記載の構成によれば、ボタンカバーは、押ボタンの噴射口からの内容物の噴射が通過可能な開放孔をさらに有し、開放孔は、下方移動規制部および上方移動規制部の少なくとも何れか一方によって押ボタンの上下動が規制された際、押ボタンの噴射口からの内容物の噴射方向に延びる仮想線から外れるように構成されているため、開放孔を確認するだけで、エアゾール容器用アクチュエータの噴射可否状態を把握することができるとともに、噴射口が開放孔から外れてボタン対向壁に向かう位置でガス抜き操作を実施するような構成であれば、噴射口から噴射された内容物を含むガスがボタン対向壁にぶつかるため、内容物が広範囲に飛び散ることを防止できる。
【図面の簡単な説明】
【００１５】
【図１】本発明の一実施形態に係るエアゾール製品Ｐの斜視図。
【図２】本発明の一実施形態に係るエアゾール容器用アクチュエータ１００の押ボタン１１０の正面図。
【図３】本発明の一実施形態に係るエアゾール容器用アクチュエータ１００の押ボタン１１０の下面図。
【図４】本発明の一実施形態に係るエアゾール容器用アクチュエータ１００のボタンカバー１２０の斜視図。
【図５】本発明の一実施形態に係るエアゾール容器用アクチュエータ１００のボタンカバー１２０の側面断面図。
【図６】本発明の一実施形態に係るエアゾール容器用アクチュエータ１００のボタンカバー１２０の下面図。
【図７】本発明の一実施形態に係るエアゾール容器用アクチュエータ１００の肩カバー１３０の斜視図。
【図８】本発明の一実施形態に係るエアゾール容器用アクチュエータ１００の肩カバー１３０の側面断面図。
【図９】本発明の一実施形態に係るエアゾール容器用アクチュエータ１００の通常噴射可能状態を示す上面側断面図。
【図１０】本発明の一実施形態に係るエアゾール容器用アクチュエータ１００の通常噴射可能状態を示す側面側断面図。
【図１１】本発明の一実施形態に係るエアゾール容器用アクチュエータ１００の通常噴射状態を示す側面側断面図。
【図１２】本発明の一実施形態に係るエアゾール容器用アクチュエータ１００のロック状態を示す斜視図。
【図１３】本発明の一実施形態に係るエアゾール容器用アクチュエータ１００のロック状態を示す上面側断面図。
【図１４】本発明の一実施形態に係るエアゾール容器用アクチュエータ１００のロック状態を示す側面側断面斜視図。
【図１５】本発明の一実施形態に係るエアゾール容器用アクチュエータ１００のロック状態でのＡ−Ａ’断面のカット位置を示す上面図。
【図１６】本発明の一実施形態に係るエアゾール容器用アクチュエータ１００のロック状態でのＡ−Ａ’断面図。
【図１７】本発明の一実施形態に係るエアゾール容器用アクチュエータ１００のガス抜き状態を示す斜視図。
【図１８】本発明の一実施形態に係るエアゾール容器用アクチュエータ１００のガス抜き状態を示す上面側断面図。
【図１９】本発明の一実施形態に係るエアゾール容器用アクチュエータ１００のガス抜き状態を示す側面側断面斜視図。
【発明を実施するための形態】
【００１６】
以下に本発明の一実施形態に係るエアゾール容器用アクチュエータ１００について、図面に基づいて説明する。
エアゾール容器用アクチュエータ１００は、図１および図１０に示すように、エアゾール容器本体Ｃの容器口部の上部に設けられたステムＳに接続し、ステムＳを下方に押圧してエアゾール容器内の内容物を噴射可能な押ボタン１１０と、エアゾール容器本体ＣのマウンティングカップＭに取付けられる肩カバー１３０と、肩カバー１３０に取付けられて押ボタン１１０を囲むボタンカバー１２０を有するエアゾール容器用アクチュエータ１００として、エアゾール製品Ｐの一部を構成するものである。
【００１７】
押ボタン１１０は、図２および図３に示すように、ボタン天井部１１１と、ボタン天井部１１１の外周縁から垂下する脚部１１２と、脚部１１２よりも内周側の位置でボタン天井部１１１から垂下するステム嵌合部１１５と、ステムＳを下方に押圧した際にエアゾール容器内の内容物を噴射する噴射口１１７とを有し、脚部１１２には、下方に開放した退避スリット１１３と、脚部１１２の下部から半径方向外方に突出するボタンツメ１１４とが設けられ、ステム嵌合部１１５には、ステム嵌合部１１５から半径方向外方に突出する係止用突条１１６が設けられている。
また、脚部１１２とステム嵌合部１１５とは、互いの中心が異なる円筒状に形成されている。
【００１８】
ボタンカバー１２０は、図４乃至図６に示すように、カバー天井部１２１と、カバー天井部１２１から垂下するボタン対向壁１２５と、ボタン対向壁１２５よりも外周側の位置でカバー天井部１２１から垂下するスカート壁１２２とを有し、ボタン対向壁１２５には、下方に開放され、高さの異なる段差部（第１段差部１２７ａ、第２段差部１２７ｂ、第３段差部１２７ｃ）を有した段付きスリット１２７と、ボタン対向壁１２５の下部から半径方向内方に突出する押下制止突起１２６とが設けられ、スカート壁１２２の下部には、半径方向内方に突出し、肩カバー１３０と係合可能な係合突起１２４が設けられている。
第１段差部１２７ａは、エアゾール容器用アクチュエータ１００を容器口部に取付けた際、段付きスリット１２７内でボタンツメ１１４の上下動を妨げることのない十分な高さを有し、第２段差部１２７ｂは、押ボタン１１０が押し込まれていない状態で、ボタンツメ１１４が段付きスリット１２７内で上下方向に干渉しない高さを有し、第３段差部１２７ｃは、押ボタン１１０が押し込まれていない状態で、ボタンツメ１１４が段付きスリット１２７内で干渉するとともに、押ボタン１１０が押し込まれた状態でボタンツメ１１４が段付きスリット１２７内で干渉しない高さを有している。
【００１９】
ボタンカバー１２０は、ボタン対向壁１２５とスカート壁１２２とを貫通する開放孔１２３をさらに有し、開放孔１２３と対向する位置には、カバー天井部１２１が他の位置よりも低く形成された凹部１２８が設けられている。
また、ボタン対向壁１２５とスカート壁１２２との間は、回転ガイド溝１２９を形成している。
【００２０】
肩カバー１３０は、図７および図８に示すように、頂板部１３１と、頂板部１３１の外周縁から垂下し、容器口部のマウンティングカップＭに嵌合可能な容器嵌合壁部１３２と、頂板部１３１の上面から上方に延びて回転ガイド溝１２９に進入し、ボタンカバー１２０と係合可能に構成されたボタンカバー係合部１３３と、ステムＳに嵌合したステム嵌合部１１５を囲むように頂板部１３１の上面から上方に延びる筒状突起１３６とを有し、ボタンカバー係合部１３３には、ボタンカバー係合部１３３の外周面から膨出形成された膨出部１３４と、ボタンカバー係合部１３３の上面から上方に延びる回転ストッパー１３５が設けられ、筒状突起１３６には、上下方向に開放され、係止用突条１１６を挿通可能な規制用スリット１３７が設けられている。
【００２１】
次に、エアゾール容器用アクチュエータ１００の、容器口部への取付け手順について、図９および図１０を用いて説明する。
まず、肩カバー１３０を、エアゾール容器本体Ｃの容器口部のマウンティングカップＭに取付ける。
このとき、肩カバー１３０の容器嵌合壁部１３２とマウンティングカップＭとは、マウンティングカップＭと肩カバー１３０との相対回転が簡単に発生しない程度に十分に強く嵌合する。
【００２２】
次に、肩カバー１３０のボタンカバー係合部１３３をボタンカバー１２０の回転ガイド溝１２９に挿入して、肩カバー１３０とボタンカバー１２０とを、互いが相対的に回転可能に係合する。
このとき、ボタンカバー１２０の係合突起１２４が、ボタンカバー係合部１３３の膨出部１３４を乗り越えた位置で肩カバー１３０とボタンカバー１２０とは係合するため、ボタンカバー１２０を持ち上げても係合突起１２４が膨出部１３４に引っかかり、ボタンカバー１２０が不意に抜けることを防止できる。
また、ボタンカバー１２０には凹部１２８と開放孔１２３が設けられており、肩カバー１３０には回転ストッパー１３５が設けられているため、ボタンカバー１２０と肩カバー１３０とを相対的に回転させた場合、回転ストッパー１３５を凹部１２８の端部や開放孔１２３に干渉させることで、必要以上にボタンカバー１２０が肩カバー１３０に対して回転してしまうことを防止できるとともに、ボタンカバー１２０のカバー天井部１２１付近まで回転ストッパー１３５を伸ばすことで、ボタンカバー１２０のガタツキを抑えることができる。
【００２３】
次に、ボタンカバー１２０および肩カバー１３０が取り付けられた状態で、押ボタン１１０をステムＳに嵌合する。
このとき、ステム嵌合部１１５の係止用突条１１６を筒状突起１３６の規制用スリット１３７に挿通するように、押ボタン１１０をステムＳに嵌合することで、係止用突条１１６が規制用スリット１３７によって相対位置を固定されるため、ボタンカバー１２０を肩カバー１３０と相対的に回転させた際、押ボタン１１０に回転方向に力がかかっても、押ボタン１１０のボタンカバー１２０との共回りを防止できる。
【００２４】
さらに、押ボタン１１０の中心軸とステムＳの中心軸を異なるものにすることで、噴射位置の調整等のために噴射口１１７の先端位置をステムＳの中心軸側に配置しても、押ボタン１１０を小さい円筒状に形成する必要がなく、押し込みやすい大きさの押ボタンを設けることができる。
また、ボタンカバー１２０と押ボタン１１０とを、ボタンツメ１１４が第１段差部１２７ａに位置するように配置することで、噴射口１１７の向きが開放孔１２３と一致するため、通常の噴射が可能な位置関係となる。
【００２５】
次に、本発明の一実施形態に係るエアゾール容器用アクチュエータ１００を用いた、通常噴射可能状態と、ロック状態と、ガス抜き状態との切り替え方法について、図面に基づいて説明する。
【００２６】
まず、通常噴射可能状態について、図９乃至図１１を用いて説明する。
通常噴射可能状態では、押下制止突起１２６が押ボタン１１０に設けられた退避スリット１１３の下方に位置するため、押下制止突起１２６は脚部１１２に干渉することがなく、押ボタン１１０のボタン天井部１１１を押し込むことができ、押ボタン１１０を介してステムＳを押下することで、エアゾール容器内の内容物をステムＳを介して取り出し、噴射口１１７から噴射できる。
【００２７】
このとき、噴射口１１７の向きと開放孔１２３の向きが一致し、噴射口１１７から噴射方向に延びる仮想線Ｌが開放孔１２３を通るため、噴射口１１７から噴射された内容物は、開放孔１２３を通り、目的の位置へ向けて噴射することができる。
また、ボタンカバー１２０の開放孔１２３と反対側は、凹部１２８によってカバー天井部１２１が低く形成されているため、指を凹部１２８に合わせることで、押ボタン１１０を押し込みやすい。
【００２８】
次に、ロック状態について、図１２乃至図１６を用いて説明する。
まず、通常噴射可能状態から、ボタンカバー１２０を押ボタン１１０に対して反時計回りに回転させる。
このとき、押ボタン１１０は係止用突条１１６を規制用スリット１３７に挿通しているため、ボタンカバー１２０と押ボタン１１０が一部接触していた場合でも、押ボタン１１０はボタンカバー１２０と共に回転することはなく、一定の位置を維持し続ける。
【００２９】
さらに、押ボタン１１０は非押下状態であるため、押下制止突起１２６は脚部１１２よりも低く位置しており、押下制止突起１２６はボタンカバー１２０の回転に合わせて退避スリット１１３の下方から脚部１１２の下方へ移動する。
これによって、ボタンカバー１２０の回転後は押ボタン１１０を押し込んでも、押下制止突起１２６が脚部１１２に干渉して回動係合機構の下方移動規制部として機能するため、押下を防止でき、ステムＳを押下してエアゾール容器内の内容物を取り出すことができず、使用時以外に不意に押ボタン１１０に触れて内容物が噴出することを防止できる。
【００３０】
また、ボタンカバー１２０の回転後、ボタンツメ１１４は第１段差部１２７ａの下方から第２段差部１２７ｂの下方へ移動するため、押ボタン１１０は押下方向だけでなく上昇方向へも移動を制限されるため、押ボタン１１０が不意に上昇方向へ力を受けてステムＳから抜け落ちてしまうことを防止できる。
さらに、噴射口１１７が開放孔１２３からズレて、噴射口１１７から噴射方向に延びる仮想線Ｌが開放孔１２３から外れ、開放孔１２３から噴射口１１７が確認できないため、エアゾール容器用アクチュエータ１００が通常噴射可能状態ではないことを容易に確認できるとともに、ロック状態で押ボタン１１０に過剰な力がかかって無理矢理ステムＳを押下されてしまった場合でも、噴射口１１７から噴射した内容物は、ボタン対向壁１２５にぶつかり、広範囲に内容物が拡散することを防止できる。
【００３１】
次に、ガス抜き状態について、図１７乃至図１９を用いて説明する。
まず、通常噴射可能状態で押ボタン１１０を押下したまま、ボタンカバー１２０を押ボタン１１０に対して時計回りに回転させる。
このとき、押ボタン１１０は押下状態であるため、押下制止突起１２６は退避スリット１１３内に位置しており、ボタンカバー１２０の回転とともに、退避スリット１１３内のみを移動可能となる。
ボタンツメ１１４は、ボタンカバー１２０の回転後、第１段差部１２７ａの下方から第３段差部１２７ｃの下方へ移動する。
【００３２】
これによって、押ボタン１１０の押下を解除しても、ボタンツメ１１４は第３段差部１２７ｃに干渉して回動係合機構の上方移動規制部として機能するため、押ボタン１１０を介してステムＳの押し込みは維持され、エアゾール容器内の内容物は噴射口１１７から噴射され続ける。
すなわち、押ボタン１１０を押し続ける必要がなく、エアゾール容器内の内容物を最後まで噴射することが可能であり、廃棄前のガス抜き作業を簡単に実施できる。
また、噴射口１１７が開放孔１２３からズレて、噴射口１１７から噴射方向に延びる仮想線Ｌが開放孔１２３から外れ、噴射口１１７から噴射した内容物は、ボタン対向壁１２５にぶつかるため、広範囲に内容物が拡散することを防止できる。
【００３３】
以上、本発明の実施形態を詳述したが、本発明は上記実施形態に限定されるものではなく、特許請求の範囲に記載された本発明を逸脱することなく種々の設計変更を行うことが可能である。
【００３４】
なお、上述した実施形態では、ボタンカバーの開放孔と対向する位置には、カバー天井部が他の位置よりも低く形成された凹部が設けられているものとして説明したが、ボタンカバーの構成はこれに限定されず、例えば、凹部を設けずに、ボタン天井部がカバー天井部よりも高い位置に設けられていてもよく、ボタン天井部を押下可能に構成されたレバーをカバー天井部に設けてもよい。
また、上述した実施形態では、ボタン対向壁には、下方に開放され、高さの異なる段差部（第１段差部、第２段差部、第３段差部）を有した段付きスリットがあるものとして説明したが、段付きスリットの構成はこれに限定されず、例えば、ロック状態でボタンツメの上方移動を規制する第２段差部がなくてもよく、ロック状態やガス抜き状態以外の機能を有した第４段差部を設けてもよく、段差部の代わりに１つの斜面を設けて、斜面の高さでそれぞれの段差部に相当する箇所を構成するようにしてもよい。
【００３５】
また、上述した実施形態では、ボタンツメを段付きスリットに挿通することで押ボタンの上昇を制限する上方移動規制部として機能するものとして説明したが、上方移動規制部の構成はこれに限定されず、例えば、押ボタン側にスリットを設けて、ボタンカバー側にスリット内に挿通可能な突部を設けるように構成してもよい。
また、上述した実施形態では、退避スリットおよび脚部と、押下制止突起との位置関係が、押ボタンの下降を制限する下方移動規制部として機能するものとして説明したが、下方移動規制部の構成はこれに限定されず、例えば、押ボタン側に突部を設けて、ボタンカバー側に突部が挿通可能な退避スリットを設けるように構成してもよい。
【００３６】
また、上述した実施形態では、ステムの中心軸と押ボタンの中心軸とは一致しないものとして説明したが、ステムと押ボタンの位置関係はこれに限定されず、ステムの中心軸と押ボタンの中心軸とが互いに一致していてもよく、ステムと押ボタンとボタンカバーの中心軸が互いに一致していてもよい。
また、上述した実施形態では、係止用突条が規制用スリットに挿通するものとして説明したが、係止用突条と規制用スリットの構成はこれに限定されず、例えば、係止用突条や規制用スリットがなくてもよく、肩カバー側に係止用の突起を設けて、押ボタン側に突起を挿通可能なスリットを設けるように構成してもよい。
【００３７】
また、上述した実施形態では、ボタンカバーは、カバー天井部と、カバー天井部から垂下するボタン対向壁と、ボタン対向壁よりも外周側の位置でカバー天井部から垂下するスカート壁とを有しているものとして説明したが、ボタンカバーの構成はこれに限定されず、例えば、カバー天井部とスカート壁を設けずに、ボタン対向壁のみを設けて肩カバーと係合するように構成してもよい。
また、上述した実施形態では、ボタンカバーは、通常噴射可能時以外は噴射口をボタン対向壁で隠すように構成されているものとして説明したが、ボタンカバーの構成はこれに限定されず、例えば、ロック時やガス抜き時でも噴射口が開放孔から見えていてもよい。
【００３８】
また、上述した実施形態では、エアゾール容器用アクチュエータは、押ボタンと、ボタンカバーと、肩カバーとで構成されているものとして説明したが、エアゾール容器用アクチュエータの構成はこれに限定されず、例えば、肩カバーを設けずに、ボタンカバーを容器口部に直接取り付けるとともに、ボタンカバーが容器口部と相対的に回転可能に構成してもよい。
また、上述した実施形態では、通常噴射可能状態からボタンカバーを反時計回りに回すことでロック状態に移行し、通常噴射可能状態からボタンカバーを時計回りに回すことでガス抜き状態に移行するものとして説明したが、各状態への移行方法はこれに限定されず、例えば、通常噴射可能状態からボタンカバーを時計回りに回すことでロック状態に移行するように構成してもよい。
【００３９】
また、上述した実施形態では、エアゾール容器用アクチュエータは、容器口部のマウンティングカップに取付けられるものとして説明したが、エアゾール容器用アクチュエータの取り付け位置はこれに限定されず、例えば、エアゾール容器の胴部と肩カバーとを強固に嵌合するように取付けてもよい。
【符号の説明】
【００４０】
１００    ・・・  エアゾール容器用アクチュエータ
１１０    ・・・  押ボタン
１１１    ・・・  ボタン天井部
１１２    ・・・  脚部
１１３    ・・・  退避スリット
１１４    ・・・  ボタンツメ
１１５    ・・・  ステム嵌合部
１１６    ・・・  係止用突条
１１７    ・・・  噴射口
１２０    ・・・  ボタンカバー
１２１    ・・・  カバー天井部
１２２    ・・・  スカート壁
１２３    ・・・  開放孔
１２４    ・・・  係合突起
１２５    ・・・  ボタン対向壁
１２６    ・・・  押下制止突起
１２７    ・・・  段付きスリット
１２７ａ  ・・・  第１段差部
１２７ｂ  ・・・  第２段差部
１２７ｃ  ・・・  第３段差部
１２８    ・・・  凹部
１２９    ・・・  回転ガイド溝
１３０    ・・・  肩カバー
１３１    ・・・  頂板部
１３２    ・・・  容器嵌合壁部
１３３    ・・・  ボタンカバー係合部
１３４    ・・・  膨出部
１３５    ・・・  回転ストッパー
１３６    ・・・  筒状突起
１３７    ・・・  規制用スリット
Ｃ      ・・・  エアゾール容器本体
Ｍ      ・・・  マウンティングカップ
Ｓ      ・・・  ステム
Ｌ      ・・・  仮想線
Ｐ      ・・・  エアゾール製品
【図１】
2019218123.tif 000003
【図２】
2019218123.tif 000004
【図３】
2019218123.tif 000005
【図４】
2019218123.tif 000006
【図５】
2019218123.tif 000007
【図６】
2019218123.tif 000008
【図７】
2019218123.tif 000009
【図８】
2019218123.tif 000010
【図９】
2019218123.tif 000011
【図１０】
2019218123.tif 000012
【図１１】
2019218123.tif 000013
【図１２】
2019218123.tif 000014
【図１３】
2019218123.tif 000015
【図１４】
2019218123.tif 000016
【図１５】
2019218123.tif 000017
【図１６】
2019218123.tif 000018
【図１７】
2019218123.tif 000019
【図１８】
2019218123.tif 000020
【図１９】
2019218123.tif 000021